(57)【要約】【課題】表示部に表示された画像の移動を直観的な操作で効率良く行うことが可能な情報端末及びその制御方法、並びにプログラムを提供する。【解決手段】情報端末１００は、表示部に表示された複数の画像のうち、第１タッチスクリーン１０１、及び第２タッチスクリーン１０２の少なくとも一方のタッチスクリーンにおいてユーザがタッチした位置に対応する画像を選択する。そして、他方のタッチスクリーンにおいてユーザが複数の画像をスクロールさせるための操作をしたときに、選択された画像以外の前記複数の画像をスクロールする。【選択図】図４
2014029594.tif 000002
【特許請求の範囲】
【請求項１】
表示部と組み合わされた第１タッチスクリーンと、第２タッチスクリーンとを備えた情報端末であって、
前記表示部に表示された複数の画像のうち、前記第１タッチスクリーンにおいてユーザがタッチした位置に対応する画像を選択する選択手段と、
前記第２タッチスクリーンにおいて前記ユーザが前記複数の画像をスクロールさせるための操作をしたときに、前記選択手段により選択された画像以外の前記複数の画像をスクロールするスクロール手段と
を備えたことを特徴とする情報端末。
【請求項２】
前記画像は、前記情報端末と通信可能な画像処理装置において処理される画像のプレビュー画像、またはアイコンであることを特徴とする請求項１記載の情報端末。
【請求項３】
前記スクロール手段は、前記ユーザが前記複数の画像をスクロールさせるための操作内容に応じて前記選択手段により選択された画像以外の前記複数の画像をスクロールする速度を定めることを特徴とする請求項１または請求項２記載の情報端末。
【請求項４】
前記スクロール手段は、前記選択手段により画像が選択されていない場合には、前記複数の画像をスクロールすることを特徴とする請求項１乃至３のいずれか１項に記載の情報端末。
【請求項５】
表示部と組み合わされた第１タッチスクリーンと、第２タッチスクリーンとを備えた情報端末であって、
前記表示部に表示された複数の画像のうち、前記第２タッチスクリーンにおいてユーザがタッチした位置に対応する画像を選択する選択手段と、
前記第１タッチスクリーンにおいて前記ユーザが前記複数の画像をスクロールさせるための操作をしたときに、前記選択手段により選択された画像以外の前記複数の画像をスクロールするスクロール手段と
を備えたことを特徴とする情報端末。
【請求項６】
前記画像は、前記情報端末と通信可能な画像処理装置において処理される画像のプレビュー画像、またはアイコンであることを特徴とする請求項５記載の情報端末。
【請求項７】
前記スクロール手段は、前記ユーザが前記複数の画像をスクロールさせるための操作内容に応じて前記選択手段により選択された画像以外の前記複数の画像をスクロールする速度を定めることを特徴とする請求項５または請求項６記載の情報端末。
【請求項８】
前記スクロール手段は、前記選択手段により画像が選択されていない場合には、前記複数の画像をスクロールすることを特徴とする請求項５乃至７のいずれか１項に記載の情報端末。
【請求項９】
表示部と組み合わされた第１タッチスクリーンと、第２タッチスクリーンとを備えた情報端末の制御方法であって、
前記表示部に表示された複数の画像のうち、前記第１タッチスクリーンにおいてユーザがタッチした位置に対応する画像を選択する選択ステップと、
前記第２タッチスクリーンにおいて前記ユーザが前記複数の画像をスクロールさせるための操作をしたときに、前記選択ステップにより選択された画像以外の前記複数の画像をスクロールするスクロールステップと
を備えたことを特徴とする制御方法。
【請求項１０】
表示部と組み合わされた第１タッチスクリーンと、第２タッチスクリーンとを備えた情報端末の制御方法であって、
前記表示部に表示された複数の画像のうち、前記第２タッチスクリーンにおいてユーザがタッチした位置に対応する画像を選択する選択ステップと、
前記第１タッチスクリーンにおいて前記ユーザが前記複数の画像をスクロールさせるための操作をしたときに、前記選択ステップにより選択された画像以外の前記複数の画像をスクロールするスクロールステップと
を備えたことを特徴とする制御方法。
【請求項１１】
表示部と組み合わされた第１タッチスクリーンと、第２タッチスクリーンとを備えた情報端末の制御方法をコンピュータに実行させるためのプログラムであって、
前記制御方法は、
前記表示部に表示された複数の画像のうち、前記第１タッチスクリーンにおいてユーザがタッチした位置に対応する画像を選択する選択ステップと、
前記第２タッチスクリーンにおいて前記ユーザが前記複数の画像をスクロールさせるための操作をしたときに、前記選択ステップにより選択された画像以外の前記複数の画像をスクロールするスクロールステップと
を備えたことを特徴とするプログラム。 
【請求項１２】
表示部と組み合わされた第１タッチスクリーンと、第２タッチスクリーンとを備えた情報端末の制御方法をコンピュータに実行させるためのプログラムであって、
前記制御方法は、
前記表示部に表示された複数の画像のうち、前記第２タッチスクリーンにおいてユーザがタッチした位置に対応する画像を選択する選択ステップと、
前記第１タッチスクリーンにおいて前記ユーザが前記複数の画像をスクロールさせるための操作をしたときに、前記選択ステップにより選択された画像以外の前記複数の画像をスクロールするスクロールステップと
を備えたことを特徴とするプログラム。
【発明の詳細な説明】
【技術分野】
【０００１】
本発明は、情報端末及びその制御方法、並びにプログラムに関する。
【背景技術】
【０００２】
オフィスやコンビニなどの公共の場において使用されるプリンタなどの画像形成装置は、デジタルカメラや携帯端末のカメラ機能で撮影した写真画像やインターネットよりダウンロードした文書データ等を印刷する機能を有している。
【０００３】
こうした画像形成装置には読み取り画像や印刷結果を事前にチェックするためにプレビュー機能が搭載されており、表示部にはタッチスクリーンが用いられていることが少なくない。
【０００４】
また近年、携帯端末にもタッチスクリーンが用いられており、スマートフォンやタブレットＰＣに代表される携帯端末は、ＰＣとほぼ同等の機能を有することで高級化が進み、携帯端末でユーザが行う作業もＰＣと変わらなくなってきている。
【０００５】
今後は携帯端末にプレビュー画像を表示し、携帯端末での編集作業等が行われることも想定される。
【０００６】
上述した画像形成装置や携帯端末に用いられているタッチスクリーンにおいて、従来よりタッチスクリーンを備えた表示部に表示された画像を移動させたりする技術が知られている。
【０００７】
例えば、表示部に表示されている画像を表示部に表示されていない位置まで移動させる場合は、移動させる画像を選択し表示部の端に保持することで、選択された画像以外の画像をスクロールするような方法がある。
【０００８】
また、タッチスクリーンでの移動する画像が選択されている状態で、タッチスクリーンでの操作で選択された画像以外の画像をスクロールをさせる技術も開示されている。（例えば、特許文献１参照）。
【先行技術文献】
【特許文献】
【０００９】
【特許文献１】特開２０１２−４８５２５号公報
【発明の概要】
【発明が解決しようとする課題】
【００１０】
しかしながら、選択された画像を表示部の端に保持することで選択された画像以外の画像をスクロールさせ、所望の位置に移動する方法の場合、選択された画像以外の画像のスクロールが所定の位置を超えたときには、選択された表示画像以外の画像を逆方向にスクロールさせる必要がある。
【００１１】
そのため、選択されている画像を表示部の逆の端の位置移動させ、再度その位置で選択されている画像を保持する必要があり、ユーザの利便性を損なっていた。
【００１２】
また、タッチスクリーンでは、例えばピンチイン・ピンチアウトなど、マルチタッチによる操作が存在し、これらの操作は、画像の拡大や縮小処理などに割り当てられることが多い。
【００１３】
特許文献１に開示される技術では、表示画像を選択している状態を検出した後の操作を移動指示としている。従って、表示されている画像の移動処理を行う移動モードに入ってしまうと、表示されている画像に対するピンチイン・ピンチアウトを行うためには、移動モードから抜けなくてはならない。
【００１４】
また、表示されている画像の選択状態を検出するために、選択された画像の位置や停止状態の情報を使用しているが、ピンチイン・ピンチアウトなどのマルチタッチによる動作との違いが直観的ではなく、ユーザの誤操作を招く可能性がある。
【００１５】
本発明の目的は、表示部に表示された画像の移動を直観的な操作で効率良く行うことが可能な情報端末及びその制御方法、並びにプログラムを提供することにある。
【課題を解決するための手段】
【００１６】
上記目的を達成するために、請求項１の情報端末は、表示部と組み合わされた第１タッチスクリーンと、第２タッチスクリーンとを備えた情報端末であって、前記表示部に表示された複数の画像のうち、前記第１タッチスクリーンにおいてユーザがタッチした位置に対応する画像を選択する選択手段と、前記第２タッチスクリーンにおいて前記ユーザが前記複数の画像をスクロールさせるための操作をしたときに、前記選択手段により選択された画像以外の前記複数の画像をスクロールするスクロール手段とを備える。
【発明の効果】
【００１７】
本発明によれば、表示部に表示された画像の移動を直観的な操作で効率良く行うことが可能な情報端末及びその制御方法、並びにプログラムを提供することができる。
【図面の簡単な説明】
【００１８】
【図１】本発明の実施の形態に係る情報端末の外観を示す図であり、（Ａ）は情報端末１００の表面外観、（Ｂ）は情報端末の裏面外観を示している。
【図２】図１の情報端末、及び画像処理装置の概略構成を示す図である。
【図３】図１における第１タッチスクリーン及び第２タッチスクリーンでの本実施の形態に係るプレビュー画像に対する操作例を説明するための図である。
【図４】図２における操作制御部のＣＰＵにより実行される移動処理の手順を示すフローチャートである。
【図５】図１における第１タッチスクリーン及び第２タッチスクリーンでの本実施の形態に係るアイコンに対する操作例を説明するための図である。
【発明を実施するための形態】
【００１９】
以下、本発明の実施の形態について図面を参照しながら詳述する。
【００２０】
図１は、本発明の実施の形態に係る情報端末１００の外観を示す図であり、（Ａ）は情報端末１００の表面外観、（Ｂ）は情報端末１００の裏面外観を示している。
【００２１】
図１において情報端末１００は、（Ａ）に示されるように、一方の面である表面にタッチスクリーン１０１が備えられ、（Ｂ）に示されるように、他方の面である裏面にタッチスクリーン１０２が備えられている。
【００２２】
また、上記タッチスクリーン１０１は、表示部である液晶ディスプレイ１３４と組み合わされており、その下部に液晶ディスプレイ１３４を合わせて２層構造で構成される。このように、情報端末１００は、両面にタッチスクリーンを備えている。
【００２３】
なお、液晶ディスプレイ１３４に表示された画像を選択する場合は、通常はユーザによるタッチスクリーン１０１へのタッチによるが、タッチスクリーン１０２へのタッチによっても選択できる。タッチスクリーン１０１及びタッチスクリーン１０２はそれぞれ、ユーザの指が触れた位置を検知するセンサとして機能する。
【００２４】
図２は、図１の情報端末１００、及び画像処理装置１３０の概略構成を示す図である。
【００２５】
図２において、情報端末１００は、主に画像処理装置１３０でのプレビュー画像を表示するなど、画像処理装置１３０に対する操作のために用いられるが、同図に示されるように画像処理装置１３０とは装置構成的には分離されている。
【００２６】
画像処理装置１３０はプリンタ、コピー機、スキャナ機器、ファクシミリ機器などであるが、プリンタ部やスキャナ部を有さないものであっても構わない。
【００２７】
情報端末１００は、画像処理装置１３０に特化したものではなく、一般的なタブレット端末に画像処理装置１３０でのプレビュー画像を表示するためなどのアプリケーションがインストールされていてもよい。情報端末１００はタッチスクリーン１０１及びタッチスクリーン１０２を有していれば、携帯端末であってもパーソナルコンピュータであってもよい。
【００２８】
情報端末１００は、操作制御部１０５、第１タッチスクリーン１０１、液晶ディスプレイ１３４、第２タッチスクリーン１０２、メモリ１０７、ネットワーク通信部１０９、及びアンテナ１１０を備えている。
【００２９】
操作制御部１０５は、ＣＰＵ、ＲＯＭなどを備え、情報端末１００を制御するプログラムがＲＯＭに記憶されており、そのプログラムに従って情報端末１００を制御する。
【００３０】
メモリ１０７には、例えば第１タッチスクリーン１０１、及び第２タッチスクリーン１０２においてタッチされた座標や、その他情報が記憶される。
【００３１】
ユーザは、第１タッチスクリーン１０１及び第２タッチスクリーン１０２に対する操作を各々独立して行うことが可能である。
【００３２】
この操作に対し、例えば動作モードの選択、各種機能の設定、動作指示、及び画像データに対する編集処理時の画像データの選択や移動といった処理を割り当てることが可能である。
【００３３】
また、ユーザは、第１タッチスクリーン１０１が画像データを表示している状態で、表示された画像に対するタッチ・ドラッグ・ピンチ・フリックといったスクリーン操作が可能である。また、ある操作に画像での所望の座標位置情報の指定する処理などを割り当てることが可能である。
【００３４】
こうしてユーザにより操作された内容は、第１タッチスクリーン１０１及び第２タッチスクリーン１０２から操作制御部１０５に逐次送信される。
【００３５】
ネットワーク通信部１０９は、例えばＷＬＡＮ通信方式によってアンテナ１１０を用いて他の機器と通信を行うものであり、本実施の形態では特に画像処理装置１３０との通信で用いられる。このように、画像処理装置１３０は、情報端末１００と通信可能な画像処理装置である。
【００３６】
画像処理装置１３０との間では、主に画像データ、印刷データ、及び操作指示を行うためのメニュー表示など、画像処理装置１３０からのデータや、画像処理装置１３０へ印刷を要求するコマンドなど、情報端末１００からのデータが通信される。
【００３７】
また、情報端末１００は、カメラ、ハードボタン、及びＵＳＢ端子など、一般的なタブレット端末、及びスマートフォンなどが備えているハードウェアを含むようにしてもよい。
【００３８】
画像処理装置１３０は、ＣＰＵ１２１、ＲＯＭ１２２、画像処理部１１２、プレビュー画像生成部１１３、メモリ１１４、プリンタ部１１７、スキャナ部１２３、ネットワーク通信部１１９、及びアンテナ１２０を備えており、これらはバス１１１で接続されている。
【００３９】
ＣＰＵ１２１は、ＲＯＭ１２２に記憶された、画像処理装置１３０を制御するためのプログラムに従って画像処理装置１３０を制御する。ＲＯＭ１２２は、フラッシュメモリなど不揮発性の記憶装置であり、上述したプログラムに加え、各種情報が記憶されている。
【００４０】
メモリ１１４は、画像データの記憶や、ＣＰＵ１２１のワークエリアとして用いられる。
【００４１】
画像処理部１１２は、画像データに対して予め定められた処理を行う。例えば、画像処理部１１２は、情報端末１００からの印刷設定に従って画像処理を行う。画像処理部１１２において画像処理された画像データは、メモリ１１４へ記憶される。
【００４２】
プレビュー画像生成部１１３は、メモリ１１４に記憶された画像処理後の画像データを読み出し、第１タッチスクリーン１０１に表示するためのプレビュー画像を生成する。
【００４３】
プリンタ部１１７は、メモリ１１４に記憶された画像処理後の画像データを読み出し、例えば電子写真方式のプリンタであれば、画像データに従ってＰＷＭ変調によって感光像担持体に潜像形成するレーザパルスを生成する。感光像担持体に潜像形成された画像は、用紙に転写された後に定着されて画像処理装置１３０から出力される。
【００４４】
スキャナ部１２３は、読み取りセンサにより原稿を読み取り、デジタルデータ化した画像データをメモリ１１４に記憶する。
【００４５】
例えば、スキャン処理が情報端末１００より要求されると、原稿は読み取りセンサでスキャンデータとして読み取られる。読み取られたスキャンデータは、スキャナ部１２３によりデジタルデータに変換された後、画像データとしてメモリ１１４に記憶される。
【００４６】
メモリ１１４に記憶された画像データは画像処理部１１２で各種画像処理を施された後にプレビュー画像が生成され、生成されたプレビュー画像はメモリ１１４に記憶される。
【００４７】
情報端末１００にプレビュー画像を表示する場合は、メモリ１１４に記憶されているプレビュー画像が情報端末１００に送信される。
【００４８】
なお、バス１１１において、ＣＰＵ１２１、ネットワーク通信部１１９、画像処理部１１２、プレビュー画像生成部１１３、プリンタ部１１７、及びスキャナ部１２３がバス１１１におけるバスマスタになることができる。
【００４９】
上述した構成において、ユーザは情報端末１００により、プレビュー画像の閲覧することができる。また、情報端末１００は、プレビュー画像の編集処理、カメラを備えていれば、それにより撮影して得られた画像データや、ダウンロードして得られた文書ファイルデータなどの印刷指示を画像処理装置１３０に送信する。受信した画像処理装置１３０は、受信内容に基づき印刷などの処理を実行する。
【００５０】
図３は、図１における第１タッチスクリーン１０１及び第２タッチスクリーン１０２での本実施の形態に係るプレビュー画像に対する操作例を説明するための図である。
【００５１】
図３においては、横に並べられた６つのプレビュー画像を表示する例が用いられている。
【００５２】
まず（Ａ）では、プレビュー画像３０２Ａ〜３０２Ｄが表示されている。この状態で、プレビュー画像３０２Ｂを、プレビュー画像３０２Ｃとプレビュー画像３０２Ｄの間に移動する場合の操作について説明する。
【００５３】
まず、ユーザは、（Ｂ）に示すように情報端末１００の第１タッチスクリーン１０１に対して、プレビュー画像３０２Ｂに対応する位置をタッチする。
【００５４】
次いで、ユーザは、（Ｃ）に示すように情報端末１００の第１タッチスクリーン１０１にタッチした指をそのまま移動し、プレビュー画像３０２Ｃとプレビュー画像３０２Ｄの間にプレビュー画像３０２Ｂを移動（ドラッグ）させる。なお、ドラッグ操作とは、第１タッチスクリーン１０１上でプレビュー画像のタッチ操作による選択状態のまま、その指を画面上で移動させる操作のことを示す。
【００５５】
そして、ユーザは、（Ｄ）に示すようにタッチした指を離すことで移動位置を確定する。
【００５６】
さらに、プレビュー画像３０２Ｂを、プレビュー画像３０２Ｄと液晶ディスプレイ１３４上に表示されていないプレビュー画像３０２Ｅとの間に移動する場合について説明する。
【００５７】
ユーザは、第１タッチスクリーン１０１に対してプレビュー画像３０２Ｂに対応する位置をタッチして、（Ｅ）に示すように第１タッチスクリーン１０１のタッチ操作と同時に第２タッチスクリーン１０２に対して接している指を右から左へ移動させる。
【００５８】
これにより、プレビュー画像３０２Ｂ以外のプレビュー画像３０２Ａおよび３０２Ｃ〜３０２Ｆがスクロールする。
【００５９】
そして、ユーザは、（Ｆ）に示すように、プレビュー画像３０２Ｄとプレビュー画像３０２Ｅの間にプレビュー画像３０２Ｂを移動したときに第１タッチスクリーン１０１にタッチしている指を離す。これにより、ユーザは、プレビュー画像３０２Ｂをプレビュー画像３０２Ｄとプレビュー画像３０２Ｅとの間に移動することができる。
【００６０】
このように、本実施の形態では、ユーザは表面の第１タッチスクリーン１０１で移動するプレビュー画像を選択し、裏面の第２タッチスクリーン１０２によって、選択されたプレビュー画像以外のプレビュー画像を移動させることができる。従って、表面でのマルチタッチ操作の制限を設けることなく、ユーザは直観的で分かりやすい操作性でプレビュー画像を移動することができる。
【００６１】
図４は、図２における操作制御部１０５のＣＰＵにより実行される移動処理の手順を示すフローチャートである。
【００６２】
図４において、液晶ディスプレイ１３４に表示される例えば図３（Ａ）に示されるプレビュー画面において、いずれかのプレビュー画像が第１タッチスクリーン１０１へのタッチ操作により選択されたか否か判別する（ステップＳ１０１）。
【００６３】
ステップＳ１０１の判別の結果、プレビュー画像が第１タッチスクリーン１０１へのタッチ操作により選択されなかったとき（ステップＳ１０１でＮＯ）、本処理を終了する。
【００６４】
一方、ステップＳ１０１の判別の結果、プレビュー画像３０２が第１タッチスクリーン１０１へのタッチ操作により選択されたとき（ステップＳ１０１でＹＥＳ）、選択されたプレビュー画像に対してドラッグ操作されたか否か判別する（ステップＳ１０２）。このステップＳ１０１は、液晶ディスプレイ１３４の画面に表示された複数の画像のうち、第１タッチスクリーン、及び第２タッチスクリーンのいずれか一方のタッチスクリーンにおいてユーザがタッチした位置に対応する画像を選択する選択手段に対応する。このフローチャートの場合は、一方のタッチスクリーンは、第１タッチスクリーン１０１であり、第１タッチスクリーン１０１においてユーザがタッチした位置に対応する画像が選択されている。
【００６５】
ステップＳ１０２の判別の結果、ドラッグ操作されなかったときは（ステップＳ１０２でＮＯ）、ステップＳ１０４に進む。
【００６６】
一方、ステップＳ１０２の判別の結果、ドラッグ操作されたときは（ステップＳ１０２でＹＥＳ）、ドラッグ操作されたプレビュー画像を移動する（ステップＳ１０３）。
【００６７】
プレビュー画像を選択している第１タッチスクリーン１０１へのタッチ操作が維持されているか否か判別する（ステップＳ１０４）。
【００６８】
ステップＳ１０４の判別の結果、タッチ操作が維持されていないときは（ステップＳ１０４でＮＯ）、プレビュー画像の位置を確定し（ステップＳ１０５）、ステップＳ１０１に戻る。
【００６９】
一方、ステップＳ１０４の判別の結果、タッチ操作が維持されているときは（ステップＳ１０４でＹＥＳ）、第２タッチスクリーン１０２でのフリックなどによるスクロール操作がされたか否か判別する（ステップＳ１０６）。
【００７０】
ステップＳ１０６の判別の結果、スクロール操作がされなかったときは（ステップＳ１０６でＮＯ）、ステップＳ１０３に戻る。
【００７１】
一方、ステップＳ１０６の判別の結果、スクロールするための操作であるスクロール操作がされたときは（ステップＳ１０６でＹＥＳ）、以下の処理を行う。すなわち、操作制御部１０５は、第２タッチスクリーン１０２でのスクロール操作の移動方向及び速度に応じて、第１タッチスクリーン１０１で選択された画像を除くプレビュー画像をスクロールし（ステップＳ１０７）、ステップＳ１０６に戻る。このステップＳ１０６は、他方のタッチスクリーンにおいてユーザが画面をスクロールさせるための操作をしたときに、選択された画像以外の前記複数の画像をスクロールするスクロール手段に対応する。また、このフローチャートの場合、他方のタッチスクリーンは第２タッチスクリーン１０２となっている。
【００７２】
また、ステップＳ１０６では、上述したように、操作制御部１０５は、ユーザが画面をスクロールさせるための操作内容に応じて選択された画像以外の複数の画像をスクロールする速度を定める。
【００７３】
図４の移動処理によれば、画面に表示された複数の画像のうち、第１タッチスクリーン１０１、及び第２タッチスクリーン１０２のいずれか一方のタッチスクリーンにおいてユーザがタッチした位置に対応する画像を選択する。そして、他方のタッチスクリーンにおいてユーザが画面をスクロールさせるための操作をしたときに、選択された画像以外の前記複数の画像をスクロールする。その結果、ユーザは直観的にプレビュー画像の移動を行うことが可能となる。
【００７４】
なお、図４の移動処理では第２タッチスクリーン１０２でスクロール操作されると、選択されたプレビュー画像以外のプレビュー画像を移動しているが、逆であってもよい。すなわち、ユーザがプレビュー画像の選択を第２タッチスクリーン１０２で行い、第１タッチスクリーン１０１でスクロール操作したときに、選択されたプレビュー画像以外のプレビュー画像が移動されるようにしてもよい。
【００７５】
図４では、ユーザが第１タッチスクリーン１０１でタッチ操作をするとともに第２タッチスクリーン１０２でスクロール操作をすることを説明した。一方、ユーザが第１タッチスクリーン１０１でタッチ操作をすることなしに、第２タッチスクリーン１０２でスクロール操作をした場合には、液晶ディスプレイ１３４に表示されている全てのプレビュー画像がスクロールされる。
【００７６】
図４で説明した移動処理は、プレビュー画像を対象としていたが、プレビュー画像に代えて、アイコンを対象とすることができる。
【００７７】
図５は、図１における第１タッチスクリーン１０１及び第２タッチスクリーン１０２での本実施の形態に係るアイコンに対する操作例を説明するための図である。
【００７８】
図５においては、縦と横に並べられた９つのアイコンを表示する例が用いられており、（Ａ）に示される画面５５１は、現に表示されている画面の次ページの画面を示している。
【００７９】
まず（Ａ）には、液晶ディスプレイ１３４にアイコン５０１〜５０９が表示されている。このとき、ユーザがアイコン５０８をアイコン５０６の位置に移動する場合の操作について説明する。
【００８０】
ユーザは、（Ｂ）に示すように情報端末１００の第１タッチスクリーン１０１に対して、アイコン５０８に対応する位置をタッチする。
【００８１】
次いでユーザは、（Ｃ）に示すように情報端末１００の第１タッチスクリーン１０１にタッチした指をそのまま移動し、アイコン５０６の位置にアイコン５０８を移動（ドラッグ）させる。
【００８２】
そして、ユーザは、（Ｄ）に示すようにタッチした指を離すことで移動位置を確定する。
【００８３】
次に、図５（Ｂ）のアイコン５０８を、液晶ディスプレイ１３４に表示されていないアイコン５１８の位置に移動する場合の操作について説明する。
【００８４】
ユーザは、（Ｅ）に示すように第１タッチスクリーン１０１のタッチ操作と同時に第２タッチスクリーン１０２に対して接している指を右から左へスクロールさせる。これにより、アイコン５０８以外のアイコン５０１〜５０７及び５０９が移動する。
【００８５】
そして、ユーザは、第１タッチスクリーン１０１に対してアイコン５０８に対応する位置をタッチして、（Ｆ）に示すように、アイコン５０８が画面５５１のアイコン５１８が存在した位置に移動したときに第１タッチスクリーン１０１にタッチしている指を離す。これにより、ユーザは、アイコン５０８をアイコン５１８の位置に移動することができる。
【００８６】
このように、図３での説明と同様に、本実施の形態では、ユーザは表面の第１タッチスクリーン１０１で移動するプレビュー画像を選択し、裏面の第２タッチスクリーン１０２によって、選択されたプレビュー画像以外のプレビュー画像を移動させることができる。従って、表面でのマルチタッチ操作の制限を設けることなく、ユーザは直観的で分かりやすい操作性でプレビュー画像を移動することができる。
【００８７】
また、上述したように、図５の操作例では第２タッチスクリーン１０２でスクロール操作されると、選択されたアイコン以外のアイコンを移動しているが、逆であってもよい。すなわち、ユーザがアイコンの選択を第２タッチスクリーン１０２で行い、第１タッチスクリーン１０１でスクロール操作したときに、選択されたアイコン以外のアイコンが移動されるようにしてもよい。
【００８８】
さらに、図１で説明したように、情報端末１００は、画像処理装置１３０に特化したものと限定していないため、図５に示す操作例も一般的なタブレット端末、スマートフォン、及びＰＣの画面に表示されたアイコンの移動にも適用することができる。
【００８９】
本実施の形態によれば、一方のタッチスクリーンで表示部に表示される複数の画像のうちいずれかが選択されると共に、他方のタッチスクリーンで選択された画像以外の複数の画像をスクロールすることができる。
【００９０】
その結果、移動させる画像の選択と、選択された画像以外の画像のスクロールを同時に独立して操作が可能な構成となり、より直観的で分かりやすく、かつ効率の良い操作性を提供することができ、ユーザの利便性が向上できる。
【００９１】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００９２】
１００  情報端末
１０１  第１タッチスクリーン
１０２  第２タッチスクリーン
１０５  操作制御部
１０７  メモリ
１３０  画像処理装置
１３４  液晶ディスプレイ
【図１】
2014029594.tif 000003
【図２】
2014029594.tif 000004
【図３】
2014029594.tif 000005
【図４】
2014029594.tif 000006
【図５】
2014029594.tif 000007